(57)【要約】【課題】  支柱側面と天板周面との間に発生する段差を抑えることができるチェストを提供する。【解決手段】  チェスト本体１１を上下に連結されたフレーム構成部材２１で構成し、上段のフレーム構成部材２１の支柱３２上端を天板２４の挿入穴へ挿入して固定する。フレーム構成部材２１の支柱３２を、底板部３１に起立した支柱本体４１と、支柱本体４１の上端部に設けられた挿入部４２で構成し、挿入部４２を支柱本体４１より小径に形成する。支柱本体４１に対する挿入部４２の位置を、取付状態において天板２４の側縁５２より内側へずれた位置に設ける。これにより、挿入部４２が起立した支柱本体４１の上端に段差部４４を形成し、チェスト本体１１側面４３側の段差部４４を広くする。【選択図】        図４
2005323646.tif 000002
【特許請求の範囲】
【請求項１】
チェスト本体を構成する支柱の上部に支柱本体より小径の挿入部が形成され、該挿入部が天板の縁部側に設けられた挿入穴に挿入され前記支柱と前記天板とが連結されるチェストにおいて、
前記支柱本体に対する前記挿入部の位置を、取付状態において前記天板の側縁より内側へずれた偏芯位置に設定したことを特徴とするチェスト。
【請求項２】
前記支柱本体を筒状に形成し、該支柱本体の下端部に、下段に配置される支柱の挿入部が挿入される連結部を設定する一方、
前記連結部に、内側へ突出して当該連結部に挿入された前記挿入部に当接する突出部を設けたことを特徴とする請求項１記載のチェスト。
【請求項３】
前記取付状態にて前記天板の側縁側を形成する前記支柱本体の側面に、内側へ後退する凹部を形成して前記突出部を設けたことを特徴とする請求項２記載のチェスト。
【請求項４】
前記天板の前記挿入穴の内側面に、内側へ突出して当該挿入穴に挿入された前記支柱の前記挿入部に当接する突出部を設けたことを特徴とする請求項１、２又は３記載のチェスト。
【発明の詳細な説明】
【技術分野】
【０００１】
本発明は、衣類や小物などを収容するチェストに関する。
【背景技術】
【０００２】
従来、衣類や小物などを収納する際には、チェストが用いられていた。
【０００３】
このチェストは、チェスト本体と、該チェスト本体に引き出し自在に収容される引出とによって構成されている。
【０００４】
前記チェスト本体は、四隅に支柱が立設されたフレーム構成部材からなり、支柱間に前記引出を収容できるように構成されている。このチェスト本体の天部には、天板が設けられており、天板の四隅には、挿入穴が設けられている。また、前記支柱は、大径の支柱本体と、該支柱本体の上部に設けられた小径の挿入部とからなり、該挿入部を前記天板の挿入穴へ挿入できるように構成されている。
【０００５】
これにより、前記支柱の挿入部を前記天板の挿入穴へ挿入することで、前記フレーム構成部材の上部に前記天板を固定できるように構成されている。
【発明の開示】
【発明が解決しようとする課題】
【０００６】
しかしながら、このようなチェストにおいては、天板を木製にする場合、挿入穴から天板周縁まで間に所定の肉厚を確保しなければならない。
【０００７】
このため、支柱の挿入部を挿入穴位置に合わせて支柱を固定すると、支柱側面と天板周面との間に段差が発生するという問題があった。
【０００８】
本発明は、このような従来の課題に鑑みてなされたものであり、支柱側面と天板周面との間に発生する段差を抑えることができるチェストを提供することを目的とするものである。
【課題を解決するための手段】
【０００９】
前記課題を解決するために本発明の請求項１のチェストにあっては、チェスト本体を構成する支柱の上部に支柱本体より小径の挿入部が形成され、該挿入部が天板の縁部側に設けられた挿入穴に挿入され前記支柱と前記天板とが連結されるチェストにおいて、前記支柱本体に対する前記挿入部の位置を、取付状態において前記天板の側縁より内側へずれた偏芯位置に設定した。
【００１０】
すなわち、チェスト本体に天板を取り付ける際には、チェスト本体の支柱の挿入部を天板の縁部側に設けられた挿入穴に挿入して連結する。
【００１１】
このとき、前記支柱本体に対する挿入部の位置は、取付状態において前記天板の側縁より内側へずれた偏芯位置に設定されており、前記天板の側縁側に位置する前記支柱の外側面から前記挿入部までの寸法は、前記支柱本体と前記挿入部とが同軸上に設けられた場合と比較して大きくなる。
【００１２】
また、請求項２のチェストにおいては、前記支柱本体を筒状に形成し、該支柱本体の下端部に、下段に配置される支柱の挿入部が挿入される連結部を設定する一方、前記連結部に、内側へ突出して当該連結部に挿入された前記挿入部に当接する突出部を設けた。
【００１３】
すなわち、支柱を複数連結して多段のチェスト本体を形成する際には、下段に配置される支柱の挿入部を、上段に配置される支柱の連結部へ挿入して支柱同士を連結する。
【００１４】
このとき、前記支柱本体に対する挿入部の位置は、取付状態において天板の側縁より内側へずれた偏芯位置に設定されており、前記挿入部を前記連結部へ挿入した状態において、前記天板の側縁側を形成する前記挿入部の部位と前記連結部の内側面との間には、間隙が生じる。
【００１５】
しかし、前記連結部には、内側へ突出して当該連結部に挿入された前記挿入部に当接する突出部を設けられており、この突出部が前記挿入部に当接する。これにより、当該挿入部の他面側を、前記連結部の内側面に圧接することができる。
【００１６】
さらに、請求項３のチェストでは、前記取付状態にて前記天板の側縁側を形成する前記支柱本体の側面に、内側へ後退する凹部を形成して前記突出部を設けた。
【００１７】
これにより、前記連結部に突条を形成した場合と比較して、外表面へのひけの形成が防止さる。
【００１８】
加えて、請求項４のチェストにおいては、前記天板の前記挿入穴の内側面に、内側へ突出して当該挿入穴に挿入された前記支柱の前記挿入部に当接する突出部を設けた。
【００１９】
すなわち、支柱の挿入部を天板の挿入穴へ挿入して天板と支柱とを連結する。
【００２０】
このとき、前記支柱本体に対する挿入部の位置は、取付状態において天板の側縁より内側へずれた偏芯位置に設定されており、前記挿入部を前記挿入穴へ挿入した状態において、前記挿入部と前記挿入穴の内側面との間には、間隙が生じる場合がある。
【００２１】
しかし、前記挿入穴の内側面には、内側へ突出して当該挿入穴に挿入された前記支柱の前記挿入部に当接する突出部が設けられており、この突出部が前記挿入部に当接する。これにより、当該挿入部の他面側を、前記挿入穴の内側面に圧接することができる。
【発明の効果】
【００２２】
以上説明したように、本発明の請求項１のチェストにあっては、支柱本体に対する挿入部の位置は、取付状態において天板の側縁より内側へずれた偏芯位置に設定されており、前記天板の側縁側に位置する前記支柱本体の外側面から前記挿入部までの寸法を、前記支柱本体と前記挿入部とが同軸上に設けられた場合と比較して大きくすることができる。
【００２３】
このため、天板に設けられた挿入穴から天板周縁まで間に所定の肉厚を確保しなければならない木製の天板において、前記支柱本体の外側面と天板周面との間に発生し得る段差を抑えることができ、外観品質の向上を図ることができる。
【００２４】
また、請求項２のチェストにおいて、支柱を複数連結して多段のチェスト本体を形成する際には、下段に配置される支柱の挿入部を、上段に配置される支柱の連結部へ挿入して支柱同士を連結する。
【００２５】
このとき、前記支柱本体に対する挿入部の位置は、取付状態において天板の側縁より内側へずれた偏芯位置に設定されており、前記挿入部を前記連結部へ挿入した状態において、前記天板の側縁側を形成する前記挿入部の部位と前記連結部の内側面との間には間隙が生じ得る。
【００２６】
しかし、前記連結部には、内側へ突出して当該連結部に挿入された前記挿入部に当接する突出部が設けられており、この突出部を前記挿入部に圧接することにより、当該挿入部の他面側を、前記連結部の内側面に圧接することができる。これにより、上下段の支柱同士を確実に連結することができる。
【００２７】
さらに、請求項３のチェストでは、前記取付状態にて前記天板の側縁側を形成する前記支柱本体の側面に、内側へ後退する凹部を形成して前記突出部を設けたため、前記連結部に突条を形成して突出部を設ける場合と比較して、外表面へのひけの形成を防止することができる。これにより、外観品質を高めることができる。
【００２８】
加えて、請求項４のチェストにおいては、支柱の挿入部を天板の挿入穴へ挿入して天板と支柱とを連結する。
【００２９】
このとき、前記支柱本体に対する挿入部の位置は、取付状態において天板の側縁より内側へずれた偏芯位置に設定されており、前記挿入部を前記挿入穴へ挿入した状態において、前記挿入部と前記挿入穴の内側面との間には、間隙が生じる場合がある。
【００３０】
しかし、前記挿入穴の内側面には、内側へ突出して当該挿入穴に挿入された前記支柱の前記挿入部に当接する突出部が設けられており、この突出部が前記挿入部に当接する。これにより、当該挿入部の他面側を、前記挿入穴の内側面に圧接することができる。よって、支柱と天板をを確実に連結することができる。
【発明を実施するための最良の形態】
【００３１】
以下、本発明の一実施の形態を図に従って説明する。図１は、本実施の形態にかかるチェスト１を示す図であり、該チェスト１は、衣類や小物などを収納するものである。
【００３２】
このチェスト１は、図２にも示すように、フレームを形成するチェスト本体１１と、該チェスト本体１１に設けられた三つの矩形容器状の引出１２，・・・とによって構成されている。
【００３３】
前記チェスト本体１１は、上下に連結された三つのフレーム構成部材２１，・・・によって構成されており、下段のフレーム構成部材２１の底面２２には、脚部２３，・・・が設けられている。上段のフレーム構成部材２１には、天板２４が設けられており、各フレーム構成部材２１，・・・間及び上段のフレーム構成部材２１と天板２４間には、前記引出１２，・・・が引き出し自在に保持されている。
【００３４】
前記フレーム構成部材２１は、合成樹脂で形成されており、当該フレーム構成部材２１は、図３及び図４に示すように、中央部が開口した長方形状の底板部３１と、該底板部３１の四隅に起立した支柱３２，・・・とによって構成されている。
【００３５】
該支柱３２は、四角柱状に形成されており、前記底板部３１に起立した支柱本体４１と、該支柱本体４１の上端部に設けられた挿入部４２とによって一体形成されている。該挿入部４２は、前記支柱本体４１より小径に形成されており、該支柱本体４１に対する前記挿入部４２の位置は、取付状態において前記天板２４の側縁より内側へずれた位置、すなわち当該チェスト本体１１の側面４３より内側へずれた偏芯位置に設けられている。これにより、前記挿入部４２が起立した前記支柱本体４１の上端には、段差部４４が形成されており、この段差部４４は、当該チェスト本体１１の側面４３側が広くなるように設定されている。
【００３６】
前記支柱３２は、矩形筒状に形成されており、前記支柱本体４１の下端部には、下段に配置される支柱３２の挿入部４２及び前記脚部２３が選択的に挿入される連結部５１が設けられている。前記支柱本体４１において、図５に示しように、前記取付状態にて前記天板２４の側縁５２側（図１参照）を形成する前記支柱本体４１の外側面５３には、内側へ後退する断面円弧状の凹部５４が長さ方向全長に渡って形成されている。なお、前記支柱本体４１の内側に突条を設けても良い。
【００３７】
これにより、下段の支柱３２の挿入部４２を上段の支柱３２の連結部５１に挿入し、下段の支柱本体４１の段差部４４を上段の支柱本体４１下端に当接した状態で、内側に突出した前記凹部５４の内側面５５が前記挿入部４２の外側面５６に当接して該挿入部４２の他面５７を前記連結部５１の内側面５８に密接させるように構成されており、前記凹部５４は、本発明の突出部を構成している。この状態で、前記挿入部４２に設けられた図外の係合爪を前記連結部５１に設けられた図外の係合穴に確実に係合できるように構成されている。また、前記凹部５４は、当該支柱３２を樹脂成形する際に、前記挿入部４２への樹脂の流れを良くし樹脂の偏りを防止する効果も得ることができる。
【００３８】
そして、前記天板２４は、木によって形成されており、その材料としては、天然木、ＭＤＦ、パーチクルボード等の加工木材が挙げられる。この天板２４の四隅には、図６に示すように、前記フレーム構成部材２１の各支柱３２，・・・に設けられた挿入部４２が挿入される矩形状の有底の挿入穴６１が設けられている（一角部のみ図示）。この挿入穴６１と当該天板２４の周縁との間、図６において前記挿入穴６１と天板２４の側縁５２及び後縁６２の間には、所定の肉厚Ｔを有した厚肉部６３，６３が形成されており、木製の天板２４に前記挿入穴６１を形成する際に生じ得る縁部の欠けを防止しつつ、前記支柱本体４１に対して内側寄りに設定された前記挿入部４２を前記挿入穴６１へ挿入して支柱３２と天板２４とを連結した状態で、前記支柱本体４１の外側面５３と前記天板２４の側縁５２を構成する側面とが面一になるように構成されている。
【００３９】
また、このチェスト１には、図７に示すように、プラスチック製の天板７１がオプションとして用意されており、この天板７１の四隅にも、前記フレーム構成部材２１の各支柱３２，・・・に設けられた挿入部４２，・・・が挿入される矩形状の有底の挿入穴７２，・・・が設けられている（一角部のみ図示）。この挿入穴７２と当該天板７１の前縁７３との間には、引出１２収容時に引出１２の前板７４（図２参照）を配置できるように後方へ後退した位置に設けられており、当該天板７１の側縁５２からは、突出部としての二本のリブ７５，７５が内側へ向けて延設されている。これにより、前記支柱本体４１に対して内側寄りに設定された前記挿入部４２を前記挿入穴７２へ挿入して支柱３２と天板７１とを連結した状態で、前記挿入部４２のガタツキを防止しつつ、支柱本体４１の外側面５３と前記天板７１の側縁５２を形成する側面とが面一になるように構成されている。
【００４０】
以上の構成にかかる本実施の形態において、チェスト本体１１に天板２４を取り付ける際には、チェスト本体１１の上段に設けられたフレーム構成部材２１の各支柱３２，・・・の挿入部４２，・・・を天板２４に設けられた挿入穴６１，・・・に挿入して連結する。
【００４１】
このとき、前記支柱本体４１に対する挿入部４２の位置は、取付状態において前記天板２４の側縁５２より内側へずれた位置に設定されており、前記天板２４の側縁５２側に位置する前記支柱３２の外側面５３から前記挿入部４２までの寸法は、前記支柱本体４１と前記挿入部４２とが同軸上に設けられた場合と比較して大きくなるように構成されている。
【００４２】
このため、前記天板２４に設けられた挿入穴６１から天板２４側縁５２まで間に所定以上の肉厚Ｔの厚肉部６３を確保しなければならない木製の天板２４において、前記支柱本体４１の外側面５３と天板２４側面との間に発生し得る段差を抑え、面一にすることができる。これにより、チェスト１の外観品質の向上を図ることができる。
【００４３】
そして、上下のフレーム構成部材２１，２１の支柱３２，３２を連結して三段のチェスト本体１１を形成する際には、下段に配置される支柱３２の挿入部４２を、上段に配置される支柱３２の連結部５１へ挿入して支柱３２，３２同士を連結する。
【００４４】
このとき、前記支柱本体４１に対する挿入部４２の位置は、取付状態において天板２４の側縁５２より内側へずれた位置に設定されており、前記挿入部４２を前記連結部５１へ挿入した状態において、前記天板２４の側縁５２側を形成する前記挿入部４２の部位と前記連結部５１の内側面との間には、間隙が生じる。
【００４５】
しかし、前記天板２４の側縁５２側を形成する前記支柱本体４１の外側面５３には、内側へ後退する凹部５４が形成されており、この後退した凹部５４における内側面５５が前記挿入部４２に当接する。これにより、当該挿入部４２の他面５７側を、前記連結部５１の内側面５８に圧接することができる。
【００４６】
これにより、上下段の支柱３２，３２同士を確実に連結することができる。
【００４７】
また、プラスチック製の天板７１を使用する際には、該天板７１に設けられた挿入穴７２にフレーム構成部材２１の各支柱３２，・・・に設けられた挿入部４２，・・・を挿入して天板７１を固定する。
【００４８】
このとき、前記支柱本体４１に対する挿入部４２の位置は、取付状態において天板７１の側縁より内側へずれた偏芯位置に設定されており、前記挿入部４２を前記挿入穴４２へ挿入した状態において、前記挿入部４２と前記挿入穴４２の内側面との間には、間隙が生じる場合がある。
【００４９】
しかし、前記挿入穴７２の内側面には、内側へ突出して当該挿入穴７２に挿入された前記支柱３２の前記挿入部４２に当接するリブ７５，７５が設けられており、このリブ７５，７５が前記挿入部７２に当接する。これにより、当該挿入部７２の他面側を、前記挿入穴７２の内側面に圧接することができる。
【００５０】
したがって、前記支柱本体４１に対して内側寄りに設定された前記挿入部４２を前記挿入穴７２へ挿入して支柱３２と天板７１とを連結した状態で、前記挿入部４２のガタツキを防止しつつ、支柱本体４１の外側面５３と前記天板７１の側縁５２を形成する側面とが面一になるように構成されている。
【図面の簡単な説明】
【００５１】
【図１】本発明の一実施の形態を示す正面図である。
【図２】同実施の形態の側面図である。
【図３】同実施の形態のフレーム構成部材を示す図である。
【図４】同実施の形態のチェスト本体の要部を示す断面図である。
【図５】図４のＡ−Ａ線に沿った断面図である。
【図６】同実施の形態の天板の要部を示す底面図である。
【図７】同実施の形態に用意されたオプション天板の要部を示す底面図である。
【符号の説明】
【００５２】
１    チェスト
１１    チェスト本体
２４    天板
３２    支柱
４１    支柱本体
４２    挿入部
５１    連結部
５２    側縁
５３    外側面
５４    凹部
６１    挿入穴
６２    後縁
【図１】
2005323646.tif 000003
【図２】
2005323646.tif 000004
【図３】
2005323646.tif 000005
【図４】
2005323646.tif 000006
【図５】
2005323646.tif 000007
【図６】
2005323646.tif 000008
【図７】
2005323646.tif 000009